(57)【要約】      （修正有）【課題】Ｒの小さいコーナーで表蓋に巻き付けて巻き込まれた表皮の端末にしわが発生しても裏蓋がその表蓋に楽にはめ込みできてその裏蓋でその表皮端末を押え可能にする。【解決手段】裏面２１側に開口される逆Ｔ字形表蓋１１、その表蓋１１の表面２０に接着されて表皮端末２８をその表蓋１１のその開口２２の開口縁２３に巻き付けてその表蓋１１のその裏面２１に伸ばす表皮１２、および外周面３３にはめ合わせ段３４を付けた断面形状で外周縁３１から裏面３０に突き出されるリブ３２を有し、そして、その表蓋１１に突合わせ状態にはめ合わせてそのリブ３２でその表皮端末２８を押える逆Ｔ字形裏蓋１３で組み立てられ、そして、ステム１５およびそのステム１５の先端に一体化されて直交されるハンガー・バーを有し、格納窪み（格納位置）とハンガー状態（使用位置）との間に押し下げ引き上げ可能にされる。【選択図】図２
2009153638.tif 000002
【特許請求の範囲】
【請求項１】
裏面側に開口される逆Ｔ字形表蓋、その表蓋の表面に接着されて表皮端末をその表蓋のその開口の開口縁に巻き付けてその表蓋のその裏面に伸ばす表皮、および外周面にはめ合わせ段を付けた断面形状で外周縁から裏面に突き出されるリブを有し、そして、その表蓋に突合わせ状態にはめ合わせてそのリブでその表皮端末を押える逆Ｔ字形裏蓋で組み立てられ、そして、ステムおよびそのステムの先端に一体化されて直交されるハンガー・バーを有し、そして、そのステムの根元でヘッドレストの後面にへこむ逆Ｔ字形格納窪みに上下方向に揺動可能に取り付けられてその格納窪みにはめ込み可能にされ、そして、その格納窪み（格納位置）とハンガー状態（使用位置）との間に押し下げ引き上げ可能にされるところの格納型逆Ｔ字形ジャケット・ハンガー。
【請求項２】
その裏蓋が、その裏面に金属製逆Ｔ字形補強プレートを固定する請求項１に記載の格納型逆Ｔ字形ジャケット・ハンガー。
【発明の詳細な説明】
【技術分野】
【０００１】
この発明は、自動車シートのヘッドレストに用いられる格納型逆Ｔ字形ジャケット・ハンガーに関する。
【背景技術】
【０００２】
この種のジャケット・ハンガーには、樹脂製表蓋に表皮を接着し、その表蓋の開口の開口縁にその表皮の端末を巻き付け、そして、その表蓋に樹脂製裏蓋をはめ合わせてその裏蓋でその表皮端末を押える構造が採られてきた。
その方法では、その表蓋のその開口縁に巻き付けられてその表蓋に巻き込まれたその表皮端末の周囲で隙間が一定であるならば問題ないが、コーナーのＲが小さい場合には、しわが入るためにその隙間が一定にならずその裏蓋が入り難くなる不具合があった。
【特許文献１】特開平６−１８９８３７公報
【発明の開示】
【発明が解決しようとする課題】
【０００３】
この発明の課題は、Ｒの小さいコーナーで表蓋に巻き付けて巻き込まれた表皮の端末にしわが発生しても裏蓋がその表蓋に楽にはめ込みできてその裏蓋でその表皮端末の押えができるところの自動車シートのへッドレストに組み付けられる格納型逆Ｔ字形ジャケット・ハンガーの提供にある。
【課題を解決するための手段】
【０００４】
この発明の格納型逆Ｔ字形ジャケット・ハンガーは、裏面側に開口される逆Ｔ字形表蓋、その表蓋の表面に接着されて表皮端末をその表蓋のその開口の開口縁に巻き付けてその表蓋のその裏面に伸ばす表皮、および外周面にはめ合わせ段を付けた断面形状で外周縁から裏面に突き出されるリブを有し、そして、その表蓋に突合わせ状態にはめ合わせてそのリブでその表皮端末を押える逆Ｔ字形表蓋で組み立てられ、そして、ステムおよびそのステムの先端に一体化されて直交されるハンガー・バーを有し、そして、そのステムの根元でヘッドレストの後面にへこむ逆Ｔ字形格納窪みに上下方向に揺動可能に取り付けられてその格納窪みにはめ込み可能にされ、そして、その格納窪み（格納位置）とハンガー状態（使用位置）との間に押し下げ引き上げ可能にされる。
【発明の効果】
【０００５】
この発明では、Ｒの小さいコーナーでその表蓋に巻き込まれたその表皮の端末にしわが発生されてもその裏蓋がその表蓋に楽にはめ込まれ、その表皮端末がその裏蓋のそのリブでその表蓋に押え付けられて止められ、そして、その表皮端末が見映えよく仕上げられる。
【発明を実施するための最良の形態】
【０００６】
この発明の格納型逆Ｔ字形ジャケット・ハンガーは、裏面側に開口される逆Ｔ字形表蓋、その表蓋の表面に接着されて表皮端末をその表蓋のその開口の開口縁に巻き付けてその表蓋のその裏面に伸ばす表皮、および外周面にはめ合わせ段を付けた断面形状で外周縁から裏面に突き出されるリブを有し、そして、その表蓋に突合わせ状態にはめ合わせてそのリブでその表皮端末を押える逆Ｔ字形裏蓋で組み立てられ、そして、ステムおよびそのステムの先端に一体化されて直交されるハンガー・バーを有し、そして、そのステムの根元でヘッドレストの後面にへこむ逆Ｔ字形格納窪みに上下方向に揺動可能に取り付けられてその格納窪みにはめ込み可能にされ、そして、その格納窪み（格納位置）とハンガー状態（使用位置）との間に押し下げ引き上げ可能にされる。
そして、その表蓋および裏蓋が樹脂で成形されるので、金属製補強プレートがその裏蓋のその裏面に固定的に接着される。具体的には、その補強プレートは、プレス機で所定の厚さの鋼板から逆Ｔ字形プレートに打ち抜かれて用いられる。
【実施例１】
【０００７】
以下、特定されて図示された具体例に基づいて、この発明の格納型逆Ｔ字形ジャケット・ハンガーを説明するに、図１ないし図５は、乗用車のドライバー・シートのヘッドレスト４０に活用されるところのこの発明の格納型逆Ｔ字形ジャケット・ハンガーの具体例１０を示し、そのヘッドレスト４０は、後面４１にへこんで開口される逆Ｔ字形格納窪み４２を備え、そして、左右のステイ４３、４３でそのドライバー・シート（図示せず）のシート・バックのトップの左右のステイ・ホルダー（図示せず）に抜き取り可能に差し込まれてそのシート・バックに高さ調整可能に取り付けられる。
【０００８】
この格納型逆Ｔ字形ジャケット・ハンガー１０では、逆Ｔ字形表蓋１１が、裏面２１の側に開口される断面アーチ形状に樹脂で成形され、また、表皮１２が、その表蓋１１の表面２０に接着されて表皮端末２８をその表蓋１１の開口２２の開口縁２３に巻き付けてその表蓋１１のその裏面２１に伸ばし、さらに逆Ｔ字形裏蓋１３が、外周面３３にはめ合わせ段３４を付けた断面形状で外周縁３１から裏面３０に突き出されるリブ３２を有する厚肉板形状に樹脂で成形され、またさらに、逆Ｔ字形補強プレート１４が、プレス機で所定の厚さの鋼板から逆Ｔ字形プレートに打ち抜かれ、そして、その裏蓋１３のその裏面３０に固定的に接着される。
【０００９】
その表蓋１１は、また、その裏面２１の適宜の箇所にねじ止めボス２４、２５を盛り上げ、そして、そのボス２４、２５にねじ穴２６、２６、２６、２６、２６を明け、さらに、その裏面２１の適宜の箇所に突張りリブ２７を突き出して潰れ防止する構造を採っている。
一方、その裏蓋１３は、その表蓋１１のそのねじ穴２６、２６、２６、２６、２６に対応してねじ沈み穴３５、３５、３５、３５、３５を明け、そして、ねじ３６、３６、３６、３６、３６のヘッド３７、３７、３７、３７、３７がキャップ３８、３８、３８、３８、３８で目隠しされる構造を採っている。
そして、その補強プレート１４にもねじばか穴３９、３９、３９、３９、３９がその表蓋１１のそのねじ穴２６、２６、２６、２６、２６およびその裏蓋１２のそのねじ沈み穴３５、３５、３５、３５、３５に対応して穴明けされている。
【００１０】
そして、そのジャケット・ハンガー１０は、その表蓋１１が予めそれの表面２０にその表皮１２を接着させてその開口縁２３にその表皮端末２８を巻き付けてその裏面２１にその表皮端末２８を伸ばし、また、その裏蓋１３も予めそれの裏面３０のその補強プレート１４を固定的に接着するので、その表蓋１１のその裏面２１にその裏蓋１３のその裏面３０を向い合わせるようにその表蓋１１にその裏蓋１３を突合わせ状態にはめ合わせてそのリブ３２でその表皮端末２８を押え、そして、そのねじ３６、３６、３６、３６、３６でその表蓋１１にその裏蓋１３を一体的に結合させてステム１５およびそのステム１５の先端に一体化させて直交されるハンガー・バー１６を有する構造に組み立てられ、そして、そのステム１５の根元でそのヘッドレスト４０のその後面４１にへこんで開口されるその逆Ｔ字形格納窪み４２に上下方向に揺動可能に取り付けられてその格納窪み４２にはめ込み可能にされ、そして、その格納窪み（格納位置）とハンガー状態（使用位置）との間に押し下げ引き上げ可能にされる。
【００１１】
したがって。このジャケット・ハンガー１０では、構成が簡単にでき、そのヘッドレスト４０のその後面４１にコンパクトにまとめられて格納でき、そして、操作が簡単になり、すなわち、押し下げ操作で格納状態にでき、また、引き上げ操作でハンガー状態にでき、そのヘッドレスト４０のその後面４１の下方部分に格納できて使い易く、そして、格納時、邪魔にならず、さらには、そのヘッドレスト４０に一体型であるので、不使用時、そのジャケット・ハンガー１０がそのヘッドレスト４０のその後面４１の下方部分に格納できて紛失されることもなく、また、邪魔にならず、そのジャケット・ハンガー１０に掛けた上着が低い位置にあって後方視界の妨げや安全確保の妨げが避けられ、さらに、Ｒの小さいコーナーでその表蓋１１に巻き付けて巻き込まれたその表皮１２の端末２８にしわが発生してもその裏蓋１３がその表蓋１１に楽にはめ込みできてその裏蓋１３のそのリブ３２でその表皮端末２８の押えができ、そして、その表皮端末２８が見映えよく仕上げられ、さらには、その裏蓋１３がその補強プレート１４で補強されるので、無理な操作にも変形が阻止され、またさらに、格納時、違和感のないヘッドレスト４０の外観品質が得られ、それに伴ってそのジャケット・ハンガー１０の存在感もアピールできる。
【００１２】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１３】
上述から理解されるように、この発明の格納型逆Ｔ字形ジャケット・ハンガーは、裏面側に開口される逆Ｔ字形表蓋、その表蓋の表面に接着されて表皮端末をその表蓋のその開口の開口縁に巻き付けてその表蓋のその裏面に伸ばす表皮、および外周面にはめ合わせ段を付けた断面形状で外周縁から裏面に突き出されるリブを有し、そして、その表蓋に突合わせ状態にはめ合わせてそのリブでその表皮端末を押える逆Ｔ字形裏蓋で組み立てられ、そして、ステムおよびそのステムの先端に一体化されて直交されるハンガー・バーを有し、そして、そのステムの根元でヘッドレストの後面にへこむ逆Ｔ字形格納窪みに上下方向に揺動可能に取る付けられてその格納窪みにはめ込み可能にされ、そして、その格納窪み（格納位置）とハンガー状態（使用位置）との間に押し下げ引き上げ可能にされるので、この発明の格納型逆Ｔ字形ジャケット・ハンガーでは、Ｒの小さいコーナーでその表蓋に巻き付けて巻き込まれたその表皮の表皮端末にしわが発生してもその裏蓋がその表蓋に楽にはめ込みできてその裏蓋のそのリブでその表皮端末の押えができ、そして、その表皮端末が見映えよく仕上げられ、その結果、自動車シートのヘッドレストにとって非常に有用で実用的である。
【図面の簡単な説明】
【００１４】
【図１】この発明の格納型逆Ｔ字形ジャケット・ハンガーの具体例を組み付けたところの乗用車のドライバー・シートのヘッドレストを示した背面図である。
【図２】図１の２−２線に沿って示した断面図である。
【図３】図１の３−３線の沿って示した断面図である。
【図４】図１の４−４線に沿って示した断面図である。
【図５】図１の５−５線に沿って示した断面図である。
【符号の説明】
【００１５】
１０  格納型逆Ｔ字形ジャケット・ハンガー
１１  逆Ｔ字形表蓋
１２  表皮
１３  逆Ｔ字形裏蓋
１４  逆Ｔ字型補強プレート
１５  ステム
１６  ハンガー・バー
２０  表面
２１  裏面
２２  開口
２３  開口縁
２４  ねじ止めボス
２５  ねじ止めボス
２６  ねじ穴
２７  突張りリブ
２８  表皮端末
２９  表面
３０  裏面
３１  外周縁
３２  リブ
３３  外周面
３４  はめ合わせ段
３５  ねじ沈み穴
３６  ねじ
３７  ヘッド
３８  キャップ
３９  ねじばか穴
４０  ヘッドレスト
４１  後面
４２  逆Ｔ字形格納窪み
【図１】
2009153638.tif 000003
【図２】
2009153638.tif 000004
【図３】
2009153638.tif 000005
【図４】
2009153638.tif 000006
【図５】
2009153638.tif 000007